(57)【要約】【課題】飲食の際に他の容器が邪魔にならずに、食物容器と飲料容器を片手で同時に保持することができる安価な飲料容器保持具付き容器を提供する。【解決手段】食物を入れるための食物容器１と飲料容器７を保持するための飲料容器保持具４とを有する飲料容器保持具付き容器において、前記食物容器１の側面３に並列して前記飲料用保持具４が一体的に接合されている。食物容器１を手で保持することで飲料容器７を食物容器１と平行な位置で安定的に保持することができる。そして、このような構成により、飲料容器保持具４に飲料容器７を入れても、飲食の際に他の容器が邪魔にならずに、食物容器１と飲料容器７を片手で同時に保持することができる安価な飲料容器保持具付き容器が供給できる。そして、容器を片手で保持できるため、他方の手が自由になり事故防止にも役立つ。【選択図】      図１
2004307001.tif 000002
【特許請求の範囲】
【請求項１】
食物を入れるための食物容器と飲料容器を保持するための飲料容器保持具とを有する飲料容器保持具付き容器において、前記食物容器の側面に並列して前記飲料用保持具が一体的に接合されていることを特徴とする飲料容器保持具付き容器。
【請求項２】
前記飲料用保持具が折り畳み可能であり、かつ前記飲料用保持具の側面に４箇所の空孔が設けられていることを特徴とする請求項１記載の飲料容器保持具付き容器。
【請求項３】
前記食物容器および前記飲料容器保持具が折り畳み可能であり、前記食物容器の側面が多角形であり、前記食物容器の側面の少なくとも一箇所の角部で前記飲料容器保持具が一体的に接合されていることを特徴とする請求項１または２記載の飲料容器保持具付き容器。
【発明の詳細な説明】
【０００１】
【発明の属する技術分野】
本発明は、飲料容器保持具付き容器に関するものであり、特に、ポップコーンなどの菓子、ちらし寿司などのカップ弁当などの食物を入れる食物容器で、ジュース、ビール、スープ、味噌汁などの飲み物を入れる飲料容器を保持することができる容器に関するものである。
【０００２】
【従来の技術】
映画館、公園、遊園地、キャンプなどのレジャーのときや、ファーストフード店などで、ポップコーン、ポテトスティックなどの食物を食べる際には、一緒に飲み物を飲む場合が多い。このような場合、通常、食物を入れる食物容器と飲み物を入れる飲料容器は別々になっているので、両手がふさがれ、食物を食べるときは、飲料容器をわきに置くか、両足で挟んだりしていた。このように、今までは、飲み物がある場合、歩きながら食べることができなかった。
【０００３】
このような煩わしさを解消するものとして、実公平７−２８１２１号公報（特許文献１）に記載された紙コップ等の飲料容器保持具がある。この公報によれば、図１３に示すように、保持部２１は上下に分かれており、保持部２１の上半分には、筒状体の上端開口部から挿入した紙コップ等の飲料容器２４を、その上端部を突出させた状態で拘束状態に把持することができる飲料容器保持部２２が形成されている。
【０００４】
そして、保持部２１の下半分には、菓子２５が収まるような菓子収容部２３が形成されている。そして、飲料容器保持部２２に飲料容器２４が収まった場合、当該飲料容器保持部２２と菓子収容部２３の外周面の上端に空間ができるようになっており、その空間から菓子収容部２３に収まっている菓子２５を手で取り出すことができるようになっている。
【０００５】
そして、飲料容器保持部２２の外周面の一部と菓子収容部２３の外周面の一部が上下につながるように連結部２６により連結されている。
【０００６】
この連結部２６には、ハ字状に開いた耳片２７ａ、２７ｂがあり、この耳片２７ａ、２７ｂには、指挿入孔２８ａ、２８ｂが設けられている。
【０００７】
そして、この指挿入孔２８ａ、２８ｂに指を入れて、飲料容器保持部２２を手で保持することにより、菓子収容器と飲料容器とを片手で保持できるというものである。
【０００８】
また、実開平７−３０８４６号公報（特許文献２）には、皿と飲料容器とを一体結合した飲料容器支持具が開示されている。この公報によれば、図１４に示すように、飲料容器支持具４１は、皿４４と結合される押さえ板４５、受け板４６、ボルト４７およびナット４８からなる挟持部４２と、コップなどの飲料容器４９を支持する受け板４６が延長された容器受け部４３とを備え、挟持部４２と容器受け部４３とが一体化されているものである。
【０００９】
これにより、飲料容器４９と皿４４とを片手で保持できるというものである。
【００１０】
【特許文献１】
実公平７−２８１２１号公報
【特許文献２】
実開平７−３０８４６号公報
【００１１】
【発明が解決しようとする課題】
前記実公平７−２８１２１号公報の飲料容器保持具では、片手で菓子収容部２３と飲料容器２４を保持できるものではあるが、菓子２５を取り出すためには菓子２５を斜め上方に取り出す必要があり、このとき飲料容器保持部２２にぶつかることがあり、一体化されていることがかえって邪魔になることがある。
【００１２】
一方、飲料容器保持部２２の下端と菓子収容部２３の上端にできる空間を広くすると保持部２１が長くなり、容器自体が邪魔になる。
【００１３】
また、ちらし寿司などのカップ弁当の場合は、口を容器に近づけることが困難で、箸やフォークなどが使いづらいものである。
【００１４】
また、実開平７−３０８４６号公報の飲料容器支持具では、ボルト４７およびナット４８からなる挟持部４２で皿４４と飲料容器４９を支持する容器受け部４３とを一体化するものであるが、紙製の皿などでは剛性がなく挟持部４２で一体化することが困難である。また、背の高い容器の場合も挟持部４２で一体化することが困難である。
【００１５】
さらに、この飲料容器支持具では、別途挟持部４２を用意する必要があり、一回程度しか利用されないレジャー用の容器やファーストフード店などで利用される容器ではコストが高く利用できない。
【００１６】
そこで、本発明は、上記課題を解決するためになされたものであり、本発明は、飲食の際に他の容器が邪魔にならずに、食物容器と飲料容器を片手で同時に保持することができる安価な飲料容器保持具付き容器を提供するものである。
【００１７】
【課題を解決するための手段】
請求項１記載の飲料容器保持具付き容器の発明は、食物を入れるための食物容器と飲料容器を保持するための飲料容器保持具とを有する飲料容器保持具付き容器において、前記食物容器の側面に並列して前記飲料用保持具が一体的に結合されていることを特徴とするものである。
【００１８】
請求項１記載の発明によれば、食物容器と飲料容器保持具が並列して一体的に接合されているので、食物容器を手で保持することで飲料容器を食物容器と平行な位置で安定的に保持することができる。
【００１９】
請求項２記載の飲料容器保持具付き容器の発明は、請求項１において、前記飲料用保持具が折り畳み可能であり、かつ前記飲料用保持具の側面に４箇所の空孔が設けられていることを特徴とするものである。
【００２０】
請求項２記載の発明によれば、飲料用保持具の側面に４箇所の空孔が設けられているので、飲料容器保持具を折り畳むことにより、側面に設けられた空孔が重なり、そこに指を入れることで、食物容器を保持することができる。
【００２１】
請求項３記載の飲料容器保持具付き容器の発明は、請求項１または２において、前記食物容器および前記飲料容器保持具が折り畳み可能であり、前記食物容器の側面が多角形であり、前記食物容器の側面の少なくとも一箇所の角部で前記飲料容器保持具が一体的に接合されていることを特徴とするものである。
【００２２】
請求項３記載の発明によれば、食物容器および飲料容器保持具を折り畳むことができ、飲料容器保持具付き容器がかさばらずに保存、処理することができる。
【００２３】
【発明の実施の形態】
以下、本発明の第１の実施の形態を図１〜図３により説明する。
【００２４】
図１は、本発明の飲料容器保持具付き容器の第１の実施の形態を示す斜視図、図２は、同平面図、図３は、同側面図である。
【００２５】
食物容器１は、底面２が正方形で側面３が底面２を囲むようにして上方へ向けて筒状に形成されている。そして、側面３は４つの角部を有している。
【００２６】
また、側面３の上端部３ａの周辺は、底面２の周辺より長くなっており、これにより食物容器１は、上方が開いたテーパーを有する筒状に形成されている。
【００２７】
食物容器１の材質は、特に限定されるものではなく、紙、プラスチック、プラスチックなどによりコーティングされた紙などを使用することができる。また、食物容器１の側面３の形状は多角形でも円形でもよい。
【００２８】
飲料容器保持具４は、側面５、蝶羽部材６および補助部材８とからなり、側面５と蝶羽部材６とが一体で構成されており、側面５の両先端部が蝶羽部材６となる。
【００２９】
そして、飲料容器保持具４は、蝶羽部材６に隣接する側面５の内側の一部に補助部材８が接合され、側面５が筒状に形成されるようになっている。
【００３０】
蝶羽部材６は、飲料容器保持具４の側面５と補助部材８との接合部分６ａから食物容器１の側面３に向けて折られ、さらに側面３と平行するようにほぼ直角に折られ、側面３と平行する羽部６ｂが側面３に接合している。そして、図３に示すように蝶羽部材６の上部より下部の方を長くすることにより、食物容器１と飲料容器保持具４が並列して一体的に接合されている。
【００３１】
また、接合の方法は、特に限定されるものではなく、接着剤や組み込みなどによる方法で接合することができる。
【００３２】
飲料容器保持具４の側面５は、その内部の上端から下端までが開口されている。これにより図３において一点鎖線で示した飲料容器７を飲料容器保持具４入れることができる。
【００３３】
また、飲料容器保持具４の側面５の上端部５ａの周辺は、第２の側面５の下端部５ｂの周辺より長くなっており、上方が開いたテーパーを有する筒状に形成されている。
【００３４】
このテーパーは、コーヒー、ジュース、ビールなどの紙製やプラスチック製の飲料容器７のテーパーに合わせたものとする。このような形にすることで、飲料容器７の保持を飲料容器保持具４で安定させることができる。
【００３５】
また、飲料容器保持具４の側面５の高さは、特に制限はないが、例えば、コーヒー用などの背の低い飲料容器７の高さより低くすることが好ましい。このようにすることで、背の低い飲料容器７からジュースやビール用などの背の高い飲料容器７を保持することができるからである。側面５の高さとしては、例えば３０ｍｍ〜８０ｍｍが好ましい。
【００３６】
飲料容器保持具４の側面５の下端部５ｂは、飲料容器７を第２の側面５内に入れたとき、飲料容器７の底面が食物容器１の底面２と同じ位置となるようにするのが好ましい。このようにすることで、食物容器１と飲料容器７をテーブルなどに置いた場合に安定性良く保持できる。
【００３７】
また、図２および図３に示すように、蝶羽部材６により、食物容器１の側面３と飲料容器保持具４の側面５が接触しないようにそれぞれの側面の間に一定の距離が形成されるようになっている。
【００３８】
これにより、食物容器１と飲料容器７がテーパーを有していても、これらを平行な位置で安定して保持できるようになる。ただし、この距離が長くなりすぎると蝶羽部材６にかかるモーメントが大きくなるので好ましくない。この距離は、食物容器１に飲料容器保持具４を取り付ける位置や食物容器１のテーパー角度などによって異なるが、例えば、蝶羽部材６の上面では、５ｍｍ〜１５ｍｍ、下面では、５ｍｍ〜２０ｍｍとすることが好ましい。
【００３９】
また、飲料容器保持具４の側面５、蝶羽部材６および補助部材８の材質は特に限定されるものではなく、紙、プラスチック、プラスチックなどによりコーティングされた紙などを使用することができる。さらに、飲料容器保持具４の側面５、蝶羽部材６および補助部材８自体の強さ、補助部材８と側面５との接合部分６ａの面積、食物容器１の側面３と蝶羽部材６との接合部分６ｂの面積なども特に限定されるものではなく、飲料容器７およびその中に注がれる飲料の重さに耐えられるものであればよい。
【００４０】
以上のように本実施の形態によれば、食物容器１と飲料容器保持具４が並列して一体的に接合されているので、食物容器１を手で保持することで飲料容器７を食物容器１と平行な位置で安定的に保持することができる。
【００４１】
そして、このような構成により、飲料容器保持具４に飲料容器７を入れても、飲食の際に他の容器が邪魔にならずに、食物容器１と飲料容器７を片手で同時に保持することができる安価な飲料容器保持具付き容器が提供できる。
【００４２】
次に、本発明の第２の実施の形態を図４により説明する。
【００４３】
第２の実施の形態においては、上記第１の実施の形態と同じ部分には同じ符号を付し、その詳細な説明は省略する。
【００４４】
図４は、本発明の飲料容器保持具付き容器の第２の実施の形態を示す平面図である。
【００４５】
この飲料容器保持具４は、第１の実施の形態と基本的には同じであるが、第１の実施の形態と異なり、飲料容器保持具４は、側面５と別部材の蝶羽部材６からなっている。
【００４６】
蝶羽部材６は、図４に示すように飲料容器保持具４の側面５の一部と蝶羽部材６の一部が接合され接合部分６ａが形成され、蝶羽部材６の中央部分が側面５の一部となっている。
【００４７】
そして、蝶羽部材６の両端は、接合部分６ａから食物容器１の側面３に向けて折られ、さらに側面３と平行するようにほぼ直角に折られ、側面３と平行する羽部６ｂが側面３に接合している。これにより、食物容器１の側面３と飲料容器保持具４の側面５とが、間接的に一体として接合されることになる。
【００４８】
また、蝶羽部材６は、食物容器１の側面３と飲料容器保持具４の側面５とが接触しないようにそれぞれの側面の間に一定の距離が形成されるようになっている。これにより、食物容器１と飲料容器７がテーパーを有していても、これらを平行な位置で安定して保持できるようになる。
【００４９】
また、飲料容器保持具４の側面５および蝶羽部材６の材質は特に限定されるものではなく、紙、プラスチック、プラスチックなどによりコーティングされた紙などを使用することができる。
【００５０】
以上のように本実施の形態によれば、食物容器１と飲料容器保持具４が並列して一体的に接合されているので、食物容器１を手で保持することで飲料容器７を食物容器１と平行な位置で安定的に保持することができる。
【００５１】
そして、このような構成により、飲料容器保持具４に飲料容器７を入れても、飲食の際に他の容器が邪魔にならずに、食物容器１と飲料容器７を片手で同時に保持することができる安価な飲料容器保持具付き容器が提供できる。
【００５２】
次に、本発明の第３の実施の形態を図５〜９により説明する。
【００５３】
第３の実施の形態においては、上記第１および第２の実施の形態と同じ部分には同じ符号を付し、その詳細な説明は省略する。
【００５４】
図５は、本発明の飲料容器保持具付き容器の第３の実施の形態を示す斜視図、図６は、同平面図、図７は、同側面図である。
【００５５】
飲料容器保持具４は、第２の実施の形態と基本的には同じであるが、側面５に指を挿入できる程度の空孔１０ａ、１０ｂ、１０ｃ、１０ｄが４箇所空いている点で異なる。
【００５６】
そして、図８および図９に示すように、食物容器１の側面３と飲料容器保持具４の側面５を接合している蝶羽部材６の側面５の接合部分の中央を中心線９ａとした場合、その対面の中央部分９ｃを内側に折り、かつ中心線９ａと中央部分９ｃを結んだ線の中点付近において、その結んだ線に対して直角方向にある両側面の中央部分９ｃ、９ｄを外側に折ることにより、前記中心線９ａと対面の中央部分９ｃとが接近し、それぞれ対向する空孔が略同一の空孔形状となる。すなわち、空孔１０ａと空孔１０ｂ、空孔１０ｃと空孔１０ｄそれぞれが対向して略同一の空孔形状となる。
【００５７】
このようにすることで、飲料容器７を入れる必要がない場合や、飲み物を飲み終わり飲料容器７が不要になった場合などのときに、飲料容器保持具４の側面５の空孔１０に指を入れて食物容器１を容易に持つことができるようになる。
【００５８】
飲料容器保持具４の側面５の空孔１０については、その大きさ、形状、位置などについては特に制限はなく、例えば、空孔１０の形状は、円形などでもよく、飲料容器保持具４の強度や指の入りやすさなどを考慮して決めることができる。
【００５９】
以上のように本実施の形態によれば、飲料容器保持具４の一部を折ることにより、飲料容器保持具４の側面５に設けられた空孔１０が重なり、そこに指を入れることで、食物容器１を保持することができる。
【００６０】
そして、このような構成により、飲料容器保持具４に飲料容器７を入れても、飲食の際に他の容器が邪魔にならずに、食物容器１と飲料容器７を片手で同時に保持することができる安価な飲料容器保持具付き容器が提供できる。
【００６１】
次に、本発明の第４の実施の形態を図１０〜１２により説明する。
【００６２】
第４の実施の形態においては、上記第１〜第３の実施の形態と同じ部分には同じ符号を付し、その詳細な説明は省略する。
【００６３】
図１０は、本発明の飲料容器保持具付き容器の第４の実施の形態を示す斜視図、図１１は、同平面図である。
【００６４】
この飲料容器保持具４は、第２の実施の形態と基本的には同じであるが、第２の実施の形態と異なり、食物容器１の側面３の一つの角を挟むように蝶羽部材６の羽部６ｂが側面３に接合されている。
【００６５】
また、第２の実施の形態と異なり、蝶羽部材６の接合部分６ａは、飲料容器保持具４の側面５の外側の一部を覆うように耳片６ｃが接合されている。
【００６６】
また、食物容器１の底面２は、４枚の部材が重なることで、底面２を構成できるようになっている。そして、この食物容器１は容器として使用しない場合は、当該４枚の部材を折り畳むことにより食物容器１を折り畳むことができるものである。
【００６７】
そして、図１２に示すように、食物容器１の側面３と飲料容器保持具４の側面５を接合している蝶羽部材６の側面５の接合部分の中央を中心線９ａとした場合、中心線９ａと中央部分９ｃを結んだ線の中点付近において、その結んだ線に対して直角方向にある両側面の中央部分９ｃ、９ｄを外側に折ることにより、前記中心線９ａと対面の中央部分９ｃとが接近するように飲料容器保持具４を折ることができるものである。
【００６８】
なお、図１０では、食物容器１において、食物容器１の側面３は正方形であるが、このような正方形に限らず、三角形、六角形などの多角形であってもよい。また、上端部３ａと底部２の形状が同じでも異なっていてもよい。
【００６９】
以上のように本実施の形態によれば、食物容器１および飲料容器保持具４を折り畳むことができ、飲料容器保持具付き容器がかさばらずに保存、処理することができる。
【００７０】
そして、このような構成により、飲料容器保持具４に飲料容器７を入れても、飲食の際に他の容器が邪魔にならずに、食物容器１と飲料容器７を片手で同時に保持することができる安価な飲料容器保持具付き容器が提供できる。
【００７１】
そして、容器を片手で保持できるため、他方の手が自由になり事故防止にも役立つ。
【００７２】
なお、本発明は、前記実施の形態に限定されるものではなく、種々の変形の実施が可能である。
【００７３】
【発明の効果】
請求項１記載の飲料容器保持具付き容器の発明によれば、食物を入れるための食物容器と飲料容器を保持するための飲料容器保持具とを有する飲料容器保持具付き容器において、前記食物容器の側面に並列して前記飲料用保持具が一体的に結合されているので、食物容器を手で保持することで飲料容器を食物容器と平行な位置で安定的に保持することができる。
【００７４】
請求項２記載の飲料容器保持具付き容器の発明によれば、請求項１において、前記飲料用保持具が折り畳み可能であり、かつ前記飲料用保持具の側面に４箇所の空孔が設けられているので、飲料容器保持具を折り畳むことにより、側面に設けられた空孔が重なり、そこに指を入れることで、食物容器を保持することができる。
【００７５】
請求項３記載の飲料容器保持具付き容器の発明によれば、請求項１または２において、前記食物容器および前記飲料容器保持具が折り畳み可能であり、前記食物容器の側面が多角形であり、前記食物容器の側面の少なくとも一箇所の角部で前記飲料容器保持具が一体的に接合されているので、食物容器および飲料容器保持具を折り畳むことができ、飲料容器保持具付き容器がかさばらずに保存、処理することができる。
【図面の簡単な説明】
【図１】本発明の第１の実施の形態の飲料容器保持具付き容器を示す斜視図である。
【図２】同、平面図である。
【図３】同、側面図である。
【図４】本発明の第２の実施の形態の飲料容器保持具付き容器を示す平面図である。
【図５】本発明の第３の実施の形態の飲料容器保持具付き容器を示す斜視図である。
【図６】同、平面図である。
【図７】同、側面図である。
【図８】本発明の第３の実施の形態において、飲料容器保持具を折り畳んだ状態を示す平面図である。
【図９】同、側面図である。
【図１０】本発明の第４の実施の形態の飲料容器保持具付き容器を示す斜視図である。
【図１１】同、平面図である。
【図１２】本発明の第４の実施の形態において、食物容器および飲料容器保持具を折り畳んだ状態を示す平面図である。
【図１３】従来の飲料容器保持具付き容器の斜視図である。
【図１４】従来の飲料容器保持具付き容器の断面図である。
【符号の説明】
１  食物容器
３  食物容器の側面
４  飲料容器保持具
５  飲料容器保持具の側面
７  筒状の飲料容器
１０  空孔
【図１】
2004307001.tif 000003
【図２】
2004307001.tif 000004
【図３】
2004307001.tif 000005
【図４】
2004307001.tif 000006
【図５】
2004307001.tif 000007
【図６】
2004307001.tif 000008
【図７】
2004307001.tif 000009
【図８】
2004307001.tif 000010
【図９】
2004307001.tif 000011
【図１０】
2004307001.tif 000012
【図１１】
2004307001.tif 000013
【図１２】
2004307001.tif 000014
【図１３】
2004307001.tif 000015
【図１４】
2004307001.tif 000016